(57)【要約】      （修正有）【課題】均一に照明でき、宝飾品の装飾性をも加味し、光源の角度を自由に調整することができ、また簡単な光源の点滅機構を有する宝飾品ショーケースを提供する。【解決手段】宝飾品ショーケースは、底板３と底板を覆うように被せた方形立体２とからなり、底板３の四隅に突起７を有し、また方形立体の各隅に固定部材６を有し、かつこれらの固定部材を介して縦方向の四角及び天井部の四角にＬＥＤを配置した光源４を有し、これらの光源は、照射方向に対し、照射角度を調整し得ると共に、各角に有する光源は、それぞれ電気的に接続されており、更に縦方向の下方の四隅に設けられた固定部材の下面には、底板３の突起７に対応する突起を有する。【選択図】図１
0003163185.tif 000002
【実用新案登録請求の範囲】
【請求項１】
底板と該底板の形状と対応した形状からなり、前記底板を覆うように被せた方形立体とからなる宝飾品ショーケースであって、前記底板の四隅に突起を有し、また前記方形立体の各隅に固定部材を有し、かつこれらの固定部材を介して縦方向の四角及び天井部の四角にＬＥＤを配置した光源を有し、これらの光源は、照射方向に対し、照射角度を調整し得ると共に、前記各角に有する光源は、それぞれ電気的に接続されており、更に前記縦方向の下方の四隅に設けられた固定部材の下面には、前記底板に有する突起と対応した位置に突起を有することを特徴とする宝飾品ショーケース。
【請求項２】
前記底板は、照明装置からなることを特徴とする請求項１に記載の宝飾品ショーケース。
【請求項３】
前記ＬＥＤを配置した光源の両端にはＬＥＤ光源保持部材を有することを特徴とする請求項１又は請求項２に記載の宝飾品ショーケース。
【請求項４】
前記両端に有するＬＥＤ光源保持部材の一方の端部に有する突起の頂部には、ネジ溝を有することを特徴とする請求項１乃至請求項３のいずれかに記載の宝飾品ショーケース。
【請求項５】
前記ＬＥＤを配置した光源を固定する他方のＬＥＤ光源保持部材の端部に有する突起にコイル状ばねを挿入してなることを特徴とする請求項１乃至請求項４のいずれかに記載の宝飾品ショーケース。
【請求項６】
前記ＬＥＤ光源保持部材のコイル状ばねが挿入された突起が電極の凹部に嵌合していることを特徴とする請求項１乃至請求項５のいずれかに記載の宝飾品ショーケース。
【請求項７】
前記ＬＥＤ光源保持部材を嵌合している電極に接続された補助電極を有することを特徴とする請求項１乃至請求項６のいずれかに記載の宝飾品ショーケース。
【考案の詳細な説明】
【技術分野】
【０００１】
本考案は、宝飾品ショーケースに関するもので、更に詳しくは、ＬＥＤを配置した光源を適宜の位置に配置し、かつこれらを角度調整し得るようにしたケース内に、宝石、貴金属製品（金、銀、プラチナなどの希少金属で作られた製品）、時計、香水、化粧品などを配置して、照明が均一かつ集中して照明されると共に、装飾性をも加味した宝飾品ショーケースに関する。
【背景技術】
【０００２】
宝飾品は、通常、蛍光灯等を配置した陳列ケースに客に見やすいように配置して収納して陳列されるのが主であったが、近年、発光ダイオード（ＬＥＤ）の急激な進歩により、より明るいＬＥＤが開発されるようになり、このようなＬＥＤを使用した陳列ケースが開発されるようになった。前者の例では、支柱の内側に支柱に沿うように照明灯と照明カバーを取り付けた陳列ケースにおいて、照明灯の両端にあるソケットカバーを分離して長さの変更ができるように改良したもので、照明カバーをカバー本体とソケットカバー材に分割して形成し、両者を着脱自在に嵌合した照明カバーが開示されている（例えば、特許文献１参照）。また後者の例としては、陳列ケースは、ガラス板にＬＥＤが配置された棚板がＬＥＤを下側に向けてケース内に複数段設けた陳列ケースが開示されており、この陳列ケースは、宝石、各種の装飾品、あるいは衣装などを収納する商品陳列ケースとしても使用されることが開示されている（例えば、特許文献２参照）。
【先行技術文献】
【特許文献】
【０００３】
【特許文献１】実開平６−４８４６３号公報（段落０００４、段落０００６、図１、図３）
【特許文献２】特開２００９−４１３２（段落０００２、段落００１４、段落００１５、図３）
【考案の概要】
【考案が解決しようとする課題】
【０００４】
しかしながら、前述の如き特許文献１に記載されている如き陳列ケースは、光源が蛍光灯であるばかりでなく、美観上ソケット部を覆うカバーを設けたものであるが、手前の両側の支柱に蛍光灯を配置しただけであるので、陳列ケースの内部を均一の明るさにするには、今一つ十分ではないという問題がある。また特許文献２に記載されている陳列ケースでは、ＬＥＤを配置しているものの、ＬＥＤの配置は一箇所のみであり、宝飾品のショーケースとしては、高級感が十分ではないばかりかＬＥＤの照射向きが一方向に限られ、均一照射が十分でないと共に、ケース内に収納した宝飾品の種類に対応して光を当てる角度調整ができないという問題がある。
【０００５】
そこで、本考案者は、上記問題点について種々検討したところ、内部に均一に照明され、また宝飾品の見栄えが一段と効果的に映えるように宝飾品に集中して光があたるように、ケース内に設置された光源の角度を自由に調整することができる角度調整機構並びにそれを用いた宝飾品ショーケースが得られることを見出した。また光源を簡単に取り付けることができ、かつ電気的接点も容易に点滅が可能な簡単な点滅機構が採用できることを見出し、ここに、本考案を案出するに至った。
【０００６】
したがって、本考案が解決しようとする第１の課題は、ＬＥＤを配置した光源を適宜の位置に配置することにより、均一な照明が得られ、かつ宝飾品の装飾性をも加味し、また宝飾品の見栄えが一段と効果的に映えるように宝飾品に集中して光があたるように、ケース内に設置された光源の角度を自由に調整することができる角度調整機構を有する宝飾品ショーケースを提供することにある。また本考案が解決しようとする第２の課題は、宝飾品ショーケースを用い持ち上げたとき、光源が切断されて消灯する簡単な光源の点滅機構を有する宝飾品ショーケースを提供することにある。
【課題を解決するための手段】
【０００７】
本考案の上記各課題は、以下の各考案によってそれぞれ達成される。
【０００８】
（１）底板と該底板の形状と対応した形状からなり、前記底板を覆うように被せた方形立体とからなる宝飾品ショーケースであって、前記底板の四隅に突起を有し、また前記方形立体の各隅に固定部材を有し、かつこれらの固定部材を介して縦方向の四角及び天井部の四角にＬＥＤを配置した光源を有し、これらの光源は、照射方向に対し、照射角度を調整し得ると共に、前記各角に有する光源は、それぞれ電気的に接続されており、更に前記縦方向の下方の四隅に設けられた固定部材の下面には、前記底板に有する突起と対応した位置に突起を有することを特徴とする宝飾品ショーケース。
（２）前記底板は、照明装置からなることを特徴とする前記第１項に記載の宝飾品ショーケース。
（３）前記ＬＥＤを配置した光源の両端にはＬＥＤ光源保持部材を有することを特徴とする前記第１項又は第２項に記載の宝飾品ショーケース。
（４）前記両端に有するＬＥＤ光源保持部材の一方の端部に有する突起の頂部には、ネジ溝を有することを特徴とする前記第１項乃至第３項のいずれかに記載の宝飾品ショーケース。
（５）前記ＬＥＤを配置した光源を固定する他方のＬＥＤ光源保持部材の端部に有する突起にコイル状ばねを挿入してなることを特徴とする前記第１項乃至第４項のいずれかに記載の宝飾品ショーケース。
（６）前記ＬＥＤ光源保持部材のコイル状ばねが挿入された突起が電極の凹部に嵌合していることを特徴とする前記第１項乃至第５項のいずれかに記載の宝飾品ショーケース。
（７）前記ＬＥＤ光源保持部材を嵌合している電極に接続された補助電極を有することを特徴とする前記第１項乃至第６項のいずれかに記載の宝飾品ショーケース。
【考案の効果】
【０００９】
本考案の第１項に記載の宝飾品ショーケースによれば、底板の四隅に突起を有し、また前記方形立体の各隅に固定部材を有し、かつこれらの固定部材を介して縦方向の四角及び天井部の四角にＬＥＤを配置した光源を有することにより、均一な照明ができるばかりでなく、これらの光源は、照射（又は照明）方向に対し、照射角度を調整し得ると共に、前記各角に有する光源は、それぞれ電気的に接続されており、更に前記縦方向の下方の四隅に設けられた固定部材の下面には、前記底板に有する突起と対応した位置に突起を有することにより、宝飾品ショーケース中に配置された宝飾品に対して、自由な角度で照明を与えることができ、かつ配置した宝飾品に集中的に照明を与えることができるという優れた効果を奏するものである。特に各隅に配置された光源は、照射方向に対し、照射角度を自由に調整することができるので、配置した宝飾品の方向に照明することによって、一段と優美に宝飾品を浮き上がらせ、その結果宝飾品に注目するように客を誘導することができるという優れた効果を奏するものであり、更に宝飾品ショーケースの中の宝飾品の入れ替えをする場合には、意識して電源を切る必要はなく、ケースを持ち上げるだけで電源が切れるので、取り扱いが簡単であるばかりでなく、作業性に容易に行えるという優れた効果を奏するものである。また上記の本考案の第２項に記載の宝飾品ショーケースは、前記第１項記載の底板が、照明装置からなることにより、下側からの照明が加算されるので、いっそう明るく優れた照明効果が得られるという優れた効果を奏するものである。
【００１０】
上記の本考案の第３項に記載の宝飾品ショーケースは、前記第１項又は第２項に記載の宝飾品ショーケースにおいて、前記ＬＥＤを配置した光源の両端にはＬＥＤ光源保持部材を有することにより、ＬＥＤを配置した光源を所望の角度に回動でき、宝飾品に集中して照射又は照明することができる。上記の本考案の第４項に記載の宝飾品ショーケースは、前記第１項乃至第３項のいずれかに記載の宝飾品ショーケースにおいて、前記両端に有するＬＥＤ光源保持部材の一方の端部に有する突起の頂部には、ネジ溝を有することにより、固定部材に開けた貫通孔からドライバーでネジ溝に嵌合してまわし、ＬＥＤを配置した光源を適宜の照射角度に簡単に設定することができるという優れた効果を奏するものである。また上記の本考案の第５項に記載の宝飾品ショーケースは、前記第１項乃至第４項のいずれかに記載の宝飾品ショーケースにおいて、前記ＬＥＤを配置した光源を固定する他方のＬＥＤ光源保持部材の端部に有する突起にコイル状ばねを挿入してなることにより、固定部材を介して、簡単にＬＥＤを配置した光源をそれぞれの角に設置することができるという優れた効果を奏するものである。上記の本考案の第６項に記載の宝飾品ショーケースは、前記第１項乃至第５項のいずれかに記載の宝飾品ショーケースにおいて、前記ＬＥＤ光源保持部材のコイル状ばねが挿入された突起が電極の凹部に嵌合していることにより、底板に方形立体を被せたとき、底板に有する突起と前記電極の下端部に有する突起とが対応して接触し、ＬＥＤを配置した光源が自然に点燈するという優れた効果を奏するものである。
【００１１】
上記の本考案の第７項に記載の宝飾品ショーケースは、前記第１項乃至第６項のいずれかに記載の宝飾品ショーケースが、ＬＥＤ光源保持部材を嵌合している電極に接続された補助電極を有することにより、固定部材にＬＥＤ固定部材を取り付けた後、別途電極を設けることができる。
【図面の簡単な説明】
【００１２】
【図１】本考案の宝飾品ショーケースの角にＬＥＤを配置した光源を配置したことを示す略分解斜視図である。
【図２】本考案に用いられる固定部材にＬＥＤ固定部材を設置するところを示す分解斜視図である。
【図３】本考案に用いられる固定部材の下部に電極等を設けたところを示す斜視図乃至断面図であり、ａは固定部材の下部に電極を設けた斜視図であり、ｂはその電極を示す斜視図である。ｃはＬＥＤを配置した光源の固定部材と電極との関係、更に底板に設けた電極との関係を示す断面図である。ｄはＬＥＤを配置した光源の固定部材をリード線で接続した電極を示す断面略図である。
【図４】本考案に用いられるＬＥＤを配置した光源の種類を示した平面図である。
【図５】本考案の宝飾品ショーケースにおいて、ＬＥＤを配置した光源と固定部材との配置形態を示した部分断面図乃至拡大断面図である。
【図６】本考案に用いられる底板の構造を示す部分分解斜視図である。
【図７】図６に示す底板の断面図である。
【考案を実施するための形態】
【００１３】
以下に、本考案の実施の形態を図面で説明するが、本考案は、これに限定されるものではない。本考案は、底板と該底板の形状と対応した形状からなり、前記底板を覆うように被せた方形立体とからなる宝飾品ショーケースであって、前記底板の四隅に突起を有し、また前記方形立体の各隅に固定部材を有し、かつこれらの固定部材を介して縦方向の四角及び天井部の四角にＬＥＤを配置した光源を有し、これらの光源は、照射方向に対し、照射角度を調整し得ると共に、前記各角に有する光源は、それぞれ電気的に接続されており、更に前記縦方向の下方の四隅に設けられた固定部材の下面には、前記底板に有する突起と対応した位置に突起を有することを特徴とするものである。
【００１４】
図１に示されるように、本考案の宝飾品ショーケースは、方形立体を有するが、この方形立体は、特に限定されるものではないが、底板に被せることができるもので、その形状としては、立方体、直方体、その他の形状からなる。ここでは、立方体の場合について説明すると、この立方体は、四枚の透明板１で周囲が囲まれ、かつ透明板１からなる天井を有する。また背面の透明板１を不透明板としてもよく、更に左右の透明板１を不透明板としてもよい。また、この下部は、開口されており、底板３に被せることができる（以下、ケース本体２という。）。また立方体からなるケース本体２において、全辺の角の一部又は全部をＬ型の枠で覆ってもよい。そのケース本体２の内部には、上部の四隅に４個の固定部材６が透明板１に固定されており、更に下部の開口部付近には、四角に４個の固定部材６を有し、かつ被せた底板３に接した位置で透明板１に固定される。底板３の表面には、下部に設けられた固定部材６の下面に設けられた電極９１の下面に有する突起７１に対応した位置に突起からなる電極７を有している。このように設けられた固定部材６には、ＬＥＤを配置した光源４の両端がＬＥＤ光源保持部材９を介して固定される構造となっている。このＬＥＤを配置した光源４は、特に限定されるものではないが、ここでは、バー、即ち細長い板状体にＬＥＤを複数設けたもの（以下、ＬＥＤバー光源４ともいう。）である。透明板１としては、アクリル酸樹脂板（アクリル板ともいう。）を用いることが好ましい。またＬＥＤとしては、白色ばかりでなく、各種の色、例えば、赤、青、黄の三原色の色はもちろんのこと、これらの混色による照明としてもよい。
【００１５】
図２において、ケース本体２の上部に有する固定部材６は、前面、側面、上面から対面に対して貫通孔８を有し、この孔８にＬＥＤ光源保持部材９の突起１０が挿入される。ＬＥＤ光源保持部材９は円筒形状であり、このＬＥＤ光源保持部材９は、固定部材６の対面の孔８からドライバーを前記突起の頂部にあるネジ溝に嵌合してドライバーを廻すことによりＬＥＤ光源保持部材９を回動し、ＬＥＤを配置した光源５を所定の角度に調整することができる。一方、図３のａは、下方に設けられる固定部材６に関するもので、この固定部材６は、図３のｂに示されるように下面に電極９１を有し、該電極９１には下方に向って突起７１を有しており、その突起７１の先端面には、底板３の表面に設けられた電極７の凸面に対応して凹面７２に形成され、両者が安定して接触することができるようになっている。またこの電極９１の上面には、図３のｃに示されるように、嵌合穴９６が設けられており、この嵌合穴９６には、ＬＥＤ光源保持部材９の突起１０が嵌合される。またこの突起１０にはコイル状バネ１１が挿入固定されている。これによりバネの伸縮を利用してＬＥＤバー光源４を着脱自在に挿入することができる。図３のｄは、本考案の別の形態を示したものであり、ＬＥＤ光源保持部材９を嵌合し得る嵌合穴９６を有する電極９１に接続した補助電極９３が別に設けられており、それらの間をリード線により接続されている。図３のｅは、後述するようにＬＥＤ光源保持部材９のＬＥＤバー光源４の固定部の形状として、円筒体の一部を縦方向に欠如した形状としたものである。この欠如部９７にＬＥＤバー光源４の端部をネジや接着剤等で接着することができる。
【００１６】
図４は、本考案に用いられるＬＥＤを配置した光源の種類のうち、その一例として、ＬＥＤバー光源を示した平面図であり、このＬＥＤの配置の仕方には特に限定されない。図４に示されるＬＥＤの配置形態は、ＬＥＤ一個を一定の間隔をおいて設けたもの（図４のａ参照）、又は同様に一定の間隔で２個乃至３個を配置したもの（前者は図４のｂ、後者は図４のｃ参照）などＬＥＤは使用目的に応じて適宜の数配置することができる。
【００１７】
更に図５では、上部に設けられる固定部材６とＬＥＤバー光源４との設置形態を示しており、左側の固定部材６にも右側の固定部材６に設けられるように、ＬＥＤ光源固定部材９に固定されたＬＥＤバー光源４を有しているが、ここでは図として省略している。図５において、固定部材６は、貫通孔８を有しており、透明版１に固定されている。固定手段は、接着剤又はネジ、金具など通常の固定手段が用いられる。ＬＥＤバー光源４の両端をＬＥＤ光源保持部材９に挿入すると共に、突起１０を固定部材６の貫通孔８へ挿入する。この際、一方のＬＥＤ光源保持部材９の突起１０にはコイル状ばね１１が挿入されている。このばねの伸縮作用によりコイル状ばね１１を有する突起１０を固定部材６へ挿入後、他端のＬＥＤ光源保持部材９の突起１０を固定部材６に挿入する。他端のＬＥＤ光源保持部材９の突起１０の先端面にはネジ溝１３が設けられている。このコイル状ばね１１の作用によって、ＬＥＤバー光源４は長さ方向に左右に動作することができる。このように設置されたＬＥＤバー光源４は、透明版１に開けた孔１４を通してネジ溝１３にドライバー１５を挿入してＬＥＤバー光源４の角度を所望の角度に調整することができる。なお、ＬＥＤバー光源４をＬＥＤ光源保持部材９に取り付けるためのＬＥＤ光源保持部材９の構造は、上記の例に限定されるものではなく、ＬＥＤバー光源４が回転可能に取り付けられる構造であればよく、例えば、図３のｅに示されるように、ＬＥＤ光源保持部材９のＬＥＤ光源固定部、即ち凹部１２へ挟み込む方法とＬＥＤ光源保持部材９の円筒の一部を欠如し、この欠如面９７にＬＥＤバー光源４を接着剤等で接着固定してもよい。
【００１８】
図６は、本考案に用いられる底板３の分解斜視図であり、図７は、その断面図である。図６及び図７において、底板３として、透明板、不透明板、着色版を用いても浴、更に照明板を用いてもよい。この照明板３は、拡散板３１、導光板３２、反射板３３、背板３４及びフレーム３５を有し、これらのうち、板３１〜３４は、それぞれ同じ大きさに揃えることが好ましい。またこれらの板３１〜３４は、拡散板３１、導光板３２、反射板３３、背板３４の順に積層される。更にこれらの板３１〜３４の全周には、略コの字形状であるフレーム３５が取り付けられている。このような照明板３では、拡散板３１側が装置の表面側に相当し、背板３４側が装置の裏面側に相当する。フレーム３５は、開口部を有し、この開口部のボトム部にＬＥＤバー光源４が設置され、更に該開口部を通して、前記板３１〜３４の積層体の縁部の全周に装着固定される。この照明板３を底板３として用いた場合には、常時、照明板が照明されているようにするか、又はケース本体２を外したとき、ケース本体２に設けられたＬＥＤバー光源４のみが消えるようにするか、更には両者が消えるようにするかは、適宜、配線により電気的に行なうことができる。
【００１９】
このような宝飾品ショーケースＩの使用の仕方は、まず、宝飾品ショーケース本体２を持ち上げると、その時点でＬＥＤバー光源４のＬＥＤ５は消えるので、該宝飾品ショーケース本体２は適宜の場所へ置く。底板３が現れるので、この底板３の上に宝石、貴金属、時計、その他、香水の入った瓶、化粧品、更には、小物などの宝飾品を適宜置き、ついで宝飾品ショーケース本体２を該底板３に被せる。宝飾品ショーケース本体２の角かどに設けられたＬＥＤバー光源４のＬＥＤ５が点燈し、宝飾品ショーケースＩの中は、むらがなく均一で明るく、また照明光により前記宝飾品は鮮やかに輝き、更に宝飾品に向けて照射角度を調整することにより一段と優美に宝飾品を浮き上がらせ、その結果宝飾品に注目するように客を誘導することができる。
【産業上の利用可能性】
【００２０】
本考案では、前述の如き作用効果を発揮するので、その用途としては、宝飾品の展示のためのショーケースとして極めて有用であり、かつ簡単な取り扱いができる点で、店舗用など各種の用途に使用することができ、実用上極めて有用な宝飾品ショーケースが得られる。
【符号の説明】
【００２１】
Ｉ  宝飾品ショーケース
１  透明板
２  宝飾品ショーケース本体（ケース本体ともいう。）
３  底板
４  ＬＥＤを配置した光源（主にＬＥＤバー光源）
５  ＬＥＤ
６  固定部材
７  突起からなる電極（電気的接点）
８  孔又は貫通孔
９  ＬＥＤ光源保持部材
１０  突起
１１  コイル状ばね
１２  ＬＥＤ光源固定部
１３  ネジ溝
１４  孔（透明板の）
１５  ドライバー
３１  拡散板
３２  導光板
３３  反射板
３４  背板
３５  フレーム
７１  突起（電極用）
７２  凹面（電極の）
９１  電極
９３  補助電極
９４  ネジ（リード線用）
９５  リード線
９６  嵌合穴
９７  欠如部
【図１】
0003163185.tif 000003
【図２】
0003163185.tif 000004
【図３】
0003163185.tif 000005
【図４】
0003163185.tif 000006
【図５】
0003163185.tif 000007
【図６】
0003163185.tif 000008
【図７】
0003163185.tif 000009